(57)【要約】【目的】上側側面などを手で容器を持ち上げられること、容器の外観を良くすること、店頭での陳列用容器や包装用容器として使用すること、使用後に収納保管容器として使用すること、使用者などが容器に入れた物を見え易くすることである。【構成】第１と第２の中央部垂直側壁１，２，５，６に上方側と下方側とに内側へと傾斜した第１と第２の折曲傾斜側壁３，４，７，８をそれぞれ連続して設け、これらの第１，第２の中央部垂直側壁と第１，第２の中央部垂直側壁との間にそれぞれ連続して設けて８角形にした第３中央部垂直側壁（９から１２）に、先細形で内側へと折曲げた第３折曲傾斜側壁（１３から２０）を、それぞれ連続して設け、更に前記正面側又は背面側の上側の第１折曲傾斜側壁３，４に上壁２２，２３を連続して設けるとともに正面側又は背面側の下側の第１折曲傾斜側壁３，４に下壁２４，２５を連続して設けた容器３０である。【選択図】  図１
2004231288.tif 000002
【特許請求の範囲】
【請求項１】
正面側と背面側の第１中央部垂直側壁の上方側と下方側とに内側へと傾斜した第１折曲傾斜側壁をそれぞれ連続して設けるとともに左側面側と右側面側の第２中央部垂直側壁の上方側と下方側とに内側へと傾斜した第２折曲傾斜側壁をそれぞれ連続して設け、該正面側の第１中央部垂直側壁と左右両側面側の第２中央部垂直側壁とを接続する第３中央部垂直側壁をそれぞれ連続して設けるとともに該背面側の第１中央部垂直側壁と左右両側面側の第２中央部垂直側壁とを接続する第３中央部垂直側壁をそれぞれ連続して設けて、該第３中央部垂直側壁の上側のものには上側に先細形で内側へと傾斜して折曲げた第３折曲傾斜側壁をそれぞれ連続して設けるとともに第３中央部垂直側壁の下側のものには下側に先細形で内側へと傾斜して折曲げた第３折曲傾斜側壁をそれぞれ連続して設け、更に前記正面側又は背面側の上側の第１傾斜側壁に上壁を連続して設けるとともに正面側又は背面側の下側の第１傾斜側壁に下壁を連続して設けたことを特徴とする容器。
【請求項２】
容器が、厚紙製容器であることを特徴とする請求項１の容器。
【請求項３】
容器が、合成樹脂を塗布又は合成樹脂フィルムを貼合わせた厚紙製容器であることを特徴とする請求項１の容器。
【請求項４】
容器が、透明合成樹脂薄板製容器であることを特徴とする請求項１の容器。
【請求項５】
容器が、半透明合成樹脂薄板製容器であることを特徴とする請求項１の容器。
【請求項６】
上壁が、上壁の中央部に吊り下げ穴を設けたことを特徴とする請求項１の容器。
【請求項７】
上壁が、上壁の両側に係止片を設けたことを特徴とする請求項１の容器。
【請求項８】
下壁が、下壁の両側に係止片を設けたことを特徴とする請求項１の容器。
【請求項９】
上壁と下壁が、上壁と下壁の両側に係止片をそれぞれ設けたことを特徴とする請求項１の容器。
【請求項１０】
第１中央部垂直側壁と第２中央部垂直側壁と第３中央部垂直側壁が、正方形であることを特徴とする請求項１の容器。
【請求項１１】
上壁と下壁が、正方形であることを特徴とする請求項１の容器。
【請求項１２】
容器が、シート状容器材の側壁側に突出して設けた貼合片で貼合わせたことを特徴とする請求項１の容器。
【発明の詳細な説明】
【０００１】
【産業上の利用分野】
この発明はハンカチ、ネックレス、キヤンデー、タオル、香水入りビンなどの物を陳列・包装・収納保管する容器に係るものである。
【０００２】
【従来の技術】
従来の容器としては、厚紙で造った４角形などの角形のものが一般に使用されている。
【０００３】
【発明が解決しようとする課題】
この従来の角形の容器では、容器の底面を手で持たないと、容器を持ち上げ難いという問題点があったし、外観があまり良くないという問題点があったとともに店頭で陳列用容器として使用し難いという問題点があった。
【０００４】
この発明は従来の容器が有するこれらの問題点を解消し、容器の上側側面又は下側側面を手で持つことにより容器を持ち上げられることや容器の外観を良くすること、店頭で陳列用容器や包装用容器として使用後に収納保管容器として使用すること、使用者などが容器に入れた物を見え易くすることなどを目的としたものである。
【０００５】
【課題を解決するための手段】
この発明の容器は、第１と第２の中央部垂直側壁に上方側と下方側とに内側へと傾斜した第１と第２の折曲傾斜側壁をそれぞれ連続して設け、これらの第１，第２の中央部垂直側壁と第１，第２の中央部垂直側壁との間にそれぞれ連続して設けて８角形にした第３中央部垂直側壁に、先細形で内側へと折曲げた第３折曲傾斜側壁を、それぞれ連続して設け、更に前記正面側又は背面側の上側の第１折曲傾斜側壁に上壁を連続して設けるとともに正面側又は背面側の下側の第１折曲傾斜側壁に下壁を連続して設けたものである。
【０００６】
容器は、第１と第２の中央部垂直側壁に上方側と下方側とに内側へと傾斜した第１と第２の折曲傾斜側壁をそれぞれ連続して設け、これらの第１，第２の中央部垂直側壁と第１，第２の中央部垂直側壁との間に、それぞれ連続して設けて８角形にした第３中央部垂直側壁を、先細形で内側へと折曲げた第３折曲傾斜側壁をそれぞれ連続して設け、更に前記正面側又は背面側の上側の第１折曲傾斜側壁に上壁を連続して設けるとともに正面側又は背面側の下側の第１折曲傾斜側壁に下壁を連続して設けたために容器の上側側面の窪んだ箇所又は下側側面の窪んだ箇所に指を入れて持つことにより容器を持ち上げ易くなるし、容器の外観が変化に富んだ形状になるから、容器の外観が良くなる。第３折曲傾斜側壁は容器の内側中央部へと下方向に傾斜しているので等間隔に４個設けた下方向傾斜の第３折曲傾斜側壁に沿って収納物が容器内部の中央部に自動的に滑りながら移動して収納されるから、収納物が容器内部の中央部に安定した状態で収納される。
更に上壁と下壁との１方又は双方を開けておいて容器を横倒しにして店頭などで陳列容器として陳列すると、容器に入れた商品を前方側と後方側との片側又は両側から購入者、店員などは見られるし、両側開けて店のショーケースに商品を陳列すれば店の外側と内側の両側から見られる。購入者が購入時には購入物の包装用容器として使用されるし、使用時や使用後は収納保管容器として使用される。容器に入れた物を前記のように開けておくことにより使用者などに見え易い状態で使用される。
【０００７】
【発明の実施の形態】
図１から図５に図示したように、容器の正面側の第１中央部垂直側壁１の上方側と下方側とに内側へと傾斜した第１折曲傾斜側壁３，３をそれぞれ連続して設け、容器の背面側の第１中央部垂直側壁２の上方側と下方側とに内側へと傾斜した第１折曲傾斜側壁４，４をそれぞれ連続して設ける。
この容器の左側面側の第２中央部垂直側壁５の上方側と下方側とに内側へと傾斜した第２折曲傾斜側壁７，７をそれぞれ連続して設け、容器の右側面側の第２中央部垂直側壁６の上方側と下方側とに内側へと傾斜した第２折曲傾斜側壁８，８をそれぞれ連続して設ける。
この容器の正面側の第１中央部垂直側壁１と左側面側の第２中央部垂直側壁５とを接続する第３中央部垂直側壁９を連続して設け、正面側の第１中央部垂直側壁１と右側面側の第２中央部垂直側壁６とを接続する第３中央部垂直側壁１０を連続して設ける。同様に背面側の第１中央部垂直側壁２と左側面側の第２中央部垂直側壁５とを接続する第３中央部垂直側壁１１を連続して設け、第１中央部垂直側壁２と右側面側の第２中央部垂直側壁６とを接続する第３中央部垂直側壁１２を連続して設ける。
これらの第３中央部垂直側壁９，１０，１１，１２の上側のものには上側に先細形で内側へと傾斜して折曲げた第３折曲傾斜側壁１３，１４，１５，１６を連続して設けるとともに上側に窪んだ箇所（窪み）１３′，１４′，１５′，１６′を設け、これらの第３中央部垂直側壁９，１０，１１，１２の下側のものには下側に先細形で内側へと傾斜して折曲げた第３折曲傾斜側壁１７，１８，１９，２０を連続して設けるとともに下側に窪んだ箇所（窪み）１７′，１８′，１９′，２０′を設ける。第３中央部垂直側壁９の端部に貼合片２１を設けてこの貼合片２１を左側面側の第２中央部垂直側壁５と第２折曲傾斜側壁７，７の裏面に貼合わせる。
更に正面側と背面側の上側の第１折曲傾斜側壁３，４に、上壁の中央部に、吊り下げ穴２２′，２３′を有する上壁２２，２３を、連続して設けるとともに正面側と背面側の下側の第１折曲傾斜側壁３，４に下壁２４，２５を連続して設け，これらの上壁２２，２３と下壁２４，２５に設けた両側先端が円弧形の係止片２６，２７，２８，２９で係止した容器３０である。
【０００８】
この容器３０を実際に造る際は図８に図示したように、厚紙の表又は裏に合成樹脂を塗布して防水加工した厚紙を所定の形状に切断するとともに折曲線（点線表示）を所定の折曲げ箇所に予め設ける。なお、側壁（符号１から１２）と上壁（符号２２，２３）下壁（符号２４，２５）は正方形であり、第３折曲傾斜側壁（符号１３から２０）は折曲げる前は正方形である。
この図面の縦方向の折曲線（点線表示）をそれぞれ後方へと折曲げ、図面上の左端に設けた貼合片２１を図面上の右端の第２中央部垂直側壁５と第２折曲傾斜側壁７，７の裏面に貼合わせて８角形の筒状にする。次に８角形筒状の上下開口部を第３折曲傾斜側壁１３〜２０に設けた折曲線（点線表示）をそれぞれ開口部の内側へと折曲げることにより上側に窪んだ箇所（窪み）１３′，１４′，１５′，１６′と下側に窪んだ箇所（窪み）１７′，１８′，１９′，２０′を成形し、上壁２２，２３を折曲線から折曲げながら両側に設けた係止片２６，２７を折曲線から折曲げて上側の第２折曲傾斜側壁７と第２折曲傾斜側壁８の内側に別々に挿入するとともに下壁２４，２５を折曲線から折曲げながら両側に設けた係止片２８，２９を折曲線から折曲げて上側の第２折曲傾斜側壁７と第２折曲傾斜側壁８の内側に別々に挿入して容器３０を成形する。なお、この容器材として合成樹脂を塗布して防水加工した厚紙の外に厚紙、合成樹脂フィルムを貼合わせた厚紙、透明合成樹脂薄板、半透明合成樹脂薄板などがよい。
【０００９】
この容器３０を実際に使用する際は、容器３０の開閉自在の上壁２２を開けて収納物を入れ、上壁２２を閉じて使用する。容器３０に収納した収納物を容器３０から取出して使用する時は上壁２２を同様に開けて収納物を使用し、使用後は上壁２２を同様に閉じて保管する。この容器３０は上壁２２に設けた吊り下げ穴２２′，２３′に、１端部に止め具を有する紐（図示せず）を、開けた下壁２３側から通したり、紐と細い止め具とを平行にして吊り下げ穴２２′，２３′に通して止め具を紐と直角方向にしたりなど適宜の手段で容器の吊り下げ穴に紐を通して紐を容器にと設けて、収納物入り容器を吊り下げで使用する。なお、この吊り下げ穴はなくともよい。
【００１０】
この容器３０を店頭などで陳列容器として使用する際は、図６図７に図示したように、図８図示の厚紙を縦方向の折曲線（点線表示）をそれぞれ後方へと折曲げ、図面上の左端に設けた貼合片２１を図面上の右端の第２中央部垂直側壁５と第２折曲傾斜側壁７，７の裏面に貼合わせて８角形の筒状体にする。この半形成容器の８角形筒状体３０′に収納物である着色柄付きハンカチ３１などを収納してから、８角形筒状体の開口部を前後方向に向けて横倒しして陳列容器として陳列する。この容器の８角形筒状体３０′に収納した着色柄付きハンカチ３１などを前方側と後方側との両側から購入者、店員などは見られるし、また図示してないが、１方側を開けて他方側を閉じておくことにより１方側の開口部からハンカチなどを購入者、店員などは見られる。
【００１１】
図９に図示したものは別の本発明品の厚紙製容器の展開図であり、前記の容器と異なる点は下壁４３，４４に吊り下げ穴４３′，４４′を設けることと上壁４１，４２と下壁４３，４４とに係止片を設けないで上壁４１と下壁４２は単に正方形にし、この展開図のものを前記のように折曲線（点線表示）より折曲げたりなどして上面側の上壁４１，４２を他方の第１傾斜側壁に仮着性テープなどで仮着するとともに下面側の下壁４３，４４を他方の第１傾斜側壁に仮着性テープなどで仮着して容器を成形する。この下壁４３，４４に設けた吊り下げ穴４３′，４４′に前記と同様に１端部に止め具を有する飾り紐を垂直方向に設けたり、上壁と下壁に設けた紐で容器を水平方向に吊り下げたりなどして使用する。
【００１２】
【発明の効果】
この発明の容器は、第１と第２の中央部垂直側壁に上方側と下方側とに内側へと傾斜した第１と第２の折曲傾斜側壁をそれぞれ連続して設け、これらの第１，第２の中央部垂直側壁と第１，第２の中央部垂直側壁との間にそれぞれ連続して設けて８角形にした第３中央部垂直側壁に、先細形で内側へと折曲げた第３折曲傾斜側壁を、それぞれ連続して設け、更に前記正面側又は背面側の上側の第１折曲傾斜側壁に上壁を連続して設けるとともに正面側又は背面側の下側の第１折曲傾斜側壁に下壁を連続して設けたから、容器の上側側面の窪んだ箇所又は下側側面の窪んだ箇所に手を入れて持つことにより容器を持ち上げ易くすることができるし、容器の外観が変化に富んだ形状になるために容器の外観を良くすることができる。下部の第３折曲傾斜側壁は容器の内側中央部へと下方向に傾斜しているので等間隔に４個設けた下方向傾斜したこの折曲傾斜側壁に沿って収納物が容器内部の中央部に自動的に滑りながら移動して収納されるために収納物を容器内部の中央部に安定した状態で収納することができる。
更に上壁と下壁との１方又は双方を開けておいて容器を横倒しにして店頭で陳列容器として陳列・使用することにより容器に収納した商品などの収納物を前方側と後方側との片側又は両側から購入者、店員などは見ることができるし、収納物を取出したり、挿入したりして使用することができる。両側を開けて店のショーケースに商品を陳列することにより店の外側と内側の両側から見ることができる。購入者が購入した時には購入物の包装用容器として使用することができるし、使用時や使用後は収納保管用容器として使用することができる。容器に収納した商品などの収納物を前記のように開けておくことにより使用者などに見え易い状態で使用することができる。
【００１３】
請求項２の容器は、容器厚紙製容器であるから、容器を造る時に厚紙を所定の形状に容易に切断することができるし、厚紙に折曲線を所定の位置に容易に設けることができて厚紙を折曲線に沿って折曲げることにより容器を容易に造ることができる。
【００１４】
請求項３の容器は、合成樹脂を塗布又は合成樹脂フィルムを貼合わせた容器であるから、容器を耐水性・防水性にすることができるとともにこの容器の外側又内側を平滑性の良い容器にすることができる。
【００１５】
請求項４の容器は、容器が透明合成樹脂薄板製であるから、取扱者・使用者などは容器に収納した商品などの収納物を容器の外側から見ることができるし、収納した物を他の収納物と誤認することなく、正確に取扱ったり、使用したりすることができる。
【００１６】
請求項５の容器は、容器が半透明合成樹脂薄板製であるから、取扱者・使用者などは容器に収納した商品などの収納物を半透明の容器の外側からほぼ見ることができるし、収納した物を他の収納物と誤認することなく、正確に取扱ったり、使用したりすることができる。
【００１７】
請求項６の容器は、上壁の中央部に吊り下げ穴を設けたから、この吊り下げ穴に止め具付き紐などを通したりなどして収納物入り容器を吊り下げで陳列したり、収納保管したりして使用することができる。
【００１８】
請求項７の容器は、上壁の両側に係止片を設けたから、この係止片により上壁を着脱自在に開閉することができるために使用時などに上壁を開けて収納物を容器から取出して使用することができるとともに上壁を開けて容器を横に倒して収納物を陳列することにより容器の上壁の開口部から容器に収納した収納物を購入者などは見ることができるし、使用後や陳列後などは容器の上壁を閉じることができる。
【００１９】
請求項８の容器は、下壁の両側に係止片を設けたから、この係止片により下壁を着脱自在に開閉することができるために使用時などに下壁を開けて収納物を容器から取出して使用することができるとともに下壁を開けて容器を横に倒して収納物を陳列することにより容器の上壁と下壁の開口部から容器に収納した収納物を購入者などは見ることができるし、使用後や陳列後などは容器の下壁を閉じることができる。
【００２０】
請求項９の容器は、上壁と下壁の両側に係止片を設けたから、この両係止片により上壁と下壁を着脱自在に開閉することができるために使用時などに上壁又は下壁を開けて収納物（商品）を容器から取出して使用することができるとともに上壁と下壁を開けて容器を横に倒して収納物を陳列することにより容器の収納物、例えば商品を前方側と後方側との両側から購入者、店員などは見ることができるとともに両側開けて店のショーケースに商品を陳列すれば店の外側と内側の両側から見ることができるし、使用後や陳列後などは容器の上壁と下壁を閉じることができる。
【００２１】
請求項１０の容器は、第１中央部垂直側壁と第２中央部垂直側壁と第３中央部垂直側壁を正方形にしたから、容器を造る時に縦方向と横方向などに円滑に折曲げることができるし、外観の良い容器にすることができる。
【００２２】
請求項１１の容器は、上壁と下壁を正方形にしたから、容器を造る時に縦方向と横方向に円滑に折曲げることができるし、外観の良い容器にすることができる。
【００２３】
請求項１２の容器は、シート状容器材の側壁側に突出して設けた貼合片で張合わせたから、このシート状容器材の貼合片で貼合わせることにより上下方向の中央部が角形の容器に円滑に行うことができるし、外観の良い容器にすることができる。
【図面の簡単な説明】
【図１】本発明品の平面図である。
【図２】同じく正面図である。
【図３】同じく側面図である。
【図４】同じく底面図である。
【図５】図２のＡ−Ａ断面図である。
【図６】本発明品の開口して横倒した正面図である。
【図７】同じく側面図である。
【図８】本発明品の縮小展開図である。
【図９】他の本発明品の縮小展開図である。
【符号の説明】
１と２  第１中央部垂直側壁
３と４  第１折曲傾斜側壁
５と６  第２中央部垂直側壁
７と８  第２折曲傾斜側壁
９から１２  第３中央部垂直側壁
１３から２０  第３折曲傾斜側壁
２１  貼合片
２２と２３  上壁
２４と２５  下壁
２６から２９  係止片
３０  容器
【図１】
2004231288.tif 000003
【図２】
2004231288.tif 000004
【図３】
2004231288.tif 000005
【図４】
2004231288.tif 000006
【図５】
2004231288.tif 000007
【図６】
2004231288.tif 000008
【図７】
2004231288.tif 000009
【図８】
2004231288.tif 000010
【図９】
2004231288.tif 000011